(57)【要約】【課題】  油化システムにおいて、高い耐久性を有し、高温で効率的に合成樹脂を加熱して油化すること。【解決手段】  合成樹脂を加熱して溶解させる溶解炉１と、該溶解炉１で溶解された合成樹脂を加熱して気化ガスを発生させる気化炉３と、気化ガスを冷却して液状の油を生成するコンデンサ６と、備え、気化炉３が、合成樹脂を加熱する気化炉加熱機構を備え、該気化炉加熱機構が、カンタル合金材で形成された気化炉電熱ヒータ部２３である。【選択図】  図１
2009144049.tif 000002
【特許請求の範囲】
【請求項１】
合成樹脂を加熱して溶解させる溶解炉と、
該溶解炉で溶解された合成樹脂を加熱して気化ガスを発生させる気化炉と、
前記気化ガスを冷却して液状の油を生成する油化器と、を備え、
前記気化炉が、前記合成樹脂を加熱する気化炉加熱機構を備え、
該気化炉加熱手段が、カンタル合金材で形成された電熱ヒータ部であることを特徴とする油化システム。
【請求項２】
請求項１に記載の油化システムであって、
前記溶解炉に合成樹脂を投入する材料供給部を備え、
該材料供給部が、合成樹脂を所定量に小分けして所定時間間隔で投入する投入制御機構を備えていることを特徴とする油化システム。
【請求項３】
請求項２に記載の油化システムであって、
前記材料供給部が、合成樹脂を貯留するホッパー部と、
該ホッパー部の下部と前記溶解炉の上部とを接続する投入管と、を備え、
前記投入制御機構が、前記ホッパー部の下部と前記投入管との間に水平軸中心に回転可能に支持された複数枚の羽根部を有する回転羽根状弁と、
該回転羽根状弁を回転駆動する羽根状弁用モータと、を備えていることを特徴とする油化システム。
【請求項４】
請求項２又は３に記載の油化システムであって、
前記材料供給部が、溶解炉の上部に合成樹脂を投入可能とされ、
前記溶解炉の下部から前記溶解炉内のガスを吸引するオフガス用ブロアを備えていることを特徴とする油化システム。
【請求項５】
請求項１から４のいずれか一項に記載の油化システムであって、
前記気化炉で発生した気化ガスを液化可能なガスへ変質させる触媒材に接触させる触媒炉を備え、
前記触媒炉が、前記触媒材を加熱する触媒加熱機構を備えていることを特徴とする油化システム。
【請求項６】
請求項１から５のいずれか一項に記載の油化システムであって、
空気を冷却して冷気を発生させる空冷用冷却装置を備え、
前記油化器が、前記気化ガスを前記空冷用冷却装置からの前記冷気と熱交換させて冷却する空冷式熱交換器であることを特徴とする油化システム。
【請求項７】
請求項６に記載の油化システムであって、
前記空冷用冷却装置からの前記冷気を前記溶解炉及び前記気化炉の駆動機構における発熱部に送る駆動部用冷却配管を備えていることを特徴とする油化システム。
【請求項８】
請求項１から７のいずれか一項に記載の油化システムであって、
前記油化器の下部に接続され発生した液状の油を回収するオイルタンクと、
前記オイルタンクの上部に接続され内部の空気を吸引するタンク用ブロアと、を備えていることを特徴とする油化システム。
【発明の詳細な説明】
【技術分野】
【０００１】
本発明は、廃棄プラスチック等の合成樹脂（プラスチック）を油化させる油化システムに関する。
【背景技術】
【０００２】
従来、ＰＰ（ポリプロピレン）等の廃棄プラスチックを油化する技術が種々提案されている。例えば、特許文献１には、プラスチックを加熱して溶融させる溶融部と、溶融部で溶融されたプラスチックをさらに加熱して解重合させ分解ガスを生成する分解部と、分解部で生成した分解ガスを冷却して油を生成する油化部と、を備えた油化プラントが記載されている。この油化プラントでは、分解部でプラスチックを加熱する手段としてニクロムヒータの電熱ヒータが採用され、ニクロムヒータを最大６５０℃まで上げて温度コントロールしている。
【０００３】
【特許文献１】特開２００４−２６９７５５号公報
【発明の開示】
【発明が解決しようとする課題】
【０００４】
上記従来の油化技術において、以下の課題が残されている。
従来の特許文献１に記載の油化プラントでは、合成樹脂（プラスチック）を加熱する電熱ヒータとしてニクロムヒータを用いているが、ニクロムヒータにより外部から加熱して合成樹脂を気化ガスとするためには、ニクロムヒータを６５０℃程度まで加熱して内部を４５０℃程度にする必要がある。しかしながら、ニクロムヒータは、通常５００℃〜６００℃の温度範囲内で使用されるため、６００℃を越える６５０℃での使用は、ニクロム線が早期に劣化してしまいヒータ寿命が短いため、実際には実用に耐えられないという不都合があった。特に、連続運転を行うとニクロムヒータの劣化に起因する加熱不足によって炉内温度が４００℃以下にまで低下してしまい、十分にガス化できないという問題があった。
【０００５】
本発明は、上記従来の問題に鑑みてなされたもので、高い耐久性を有し、高温で効率的に合成樹脂を加熱して油化する油化システムを提供することを目的とする。
【課題を解決するための手段】
【０００６】
本発明は、前記課題を解決するために以下の構成を採用した。すなわち、本発明にかかる油化システムは、合成樹脂を加熱して溶解させる溶解炉と、該溶解炉で溶解された合成樹脂を加熱して気化ガスを発生させる気化炉と、前記気化ガスを冷却して液状の油を生成する油化器と、を備え、前記気化炉が、前記合成樹脂を加熱する気化炉加熱機構を備え、該気化炉加熱手段が、カンタル合金材で形成された電熱ヒータ部であることを特徴とする。
【０００７】
この油化システムでは、気化炉加熱機構がフェライト系抵抗合金であるカンタル合金材で形成された電熱ヒータ部であるので、６００℃程度が限界の従来のニクロムヒータに比べて１４００℃程度までの高温使用が可能であり、高い耐久性を有している。すなわち、本発明の油化システムでは、カンタル合金ヒータによって７００℃程度の高温で連続運転を行ってもヒータの劣化がなく、加熱温度を安定して保持できることから、炉内温度をガス化に適した４５０℃程度に長期にわたって維持することができる。また、従来よりも大幅に高い温度での加熱により、急速にガス化温度まで炉内温度を上昇させることができ、立ち上げ時間を大幅に短縮することもできる。このように、従来のニクロムヒータでは実際上、ガス化及び油化が不完全であったのに対し、高寿命で高温加熱が可能なカンタル合金ヒータを採用することにより、高効率で長期にわたって安定したガス化及び油化を行うことができる。
【０００８】
また、本発明の油化システムは、前記溶解炉に合成樹脂を投入する材料供給部を備え、該材料供給部が、合成樹脂を所定量に小分けして所定時間間隔で投入する投入制御機構を備えていることを特徴とする。すなわち、この油化システムでは、材料供給部が、合成樹脂を所定量に小分けして所定時間間隔で投入する投入制御機構を備えているので、いわゆるバッチ式で合成樹脂材料の投入量を調整でき、合成樹脂材料が一気に溶解炉へ流れ落ちて処理能力を超えてしまうことを防ぐことができる。
【０００９】
さらに、本発明の油化システムは、前記材料供給部が、合成樹脂を貯留するホッパー部と、該ホッパー部の下部と前記溶解炉の上部とを接続する投入管と、を備え、前記投入制御機構が、前記ホッパー部の下部と前記投入管との間に水平軸中心に回転可能に支持された複数枚の羽根部を有する回転羽根状弁と、該回転羽根状弁を回転駆動する羽根状弁用モータと、を備えているを特徴とする。すなわち、この油化システムでは、投入制御機構が、回転羽根状弁と、該回転羽根状弁を回転駆動する羽根状弁用モータと、を備えているので、回転羽根状弁を回転させることで、回転羽根状弁の羽根部間に入った合成樹脂の材料分だけが小分けされて投入管から溶解炉に投入される。したがって、回転羽根状弁と羽根状弁用モータとの簡易な構成により、一定量の材料を分けて投入できると共に、回転羽根状弁の回転速度を調整することで、投入量を容易に調整することができる。
【００１０】
また、本発明の油化システムは、前記材料供給部が、溶解炉の上部に合成樹脂を投入可能とされ、前記溶解炉の下部から前記溶解炉内のガスを吸引するオフガス用ブロアを備えていることを特徴とする。すなわち、この油化システムでは、溶解炉の下部から溶解炉内のガスを吸引するオフガス用ブロアを備えているので、合成樹脂を下方に吸引して溶解炉内への導入を促進することができる。特に、軽い合成樹脂の材料を投入する際には、有効である。
【００１１】
また、本発明の油化システムは、前記気化炉で発生した気化ガスを液化可能なガスへ変質させる触媒材に接触させる触媒炉を備え、前記触媒炉が、前記触媒材を加熱する触媒加熱機構を備えていることを特徴とする。すなわち、この油化システムでは、触媒炉が、触媒材を加熱する触媒加熱機構を備えているので、触媒加熱機構により高い触媒作用が得られる温度にまで触媒を加熱することで、高い触媒効果を得ることができる。
【００１２】
また、本発明の油化システムは、空気を冷却して冷気を発生させる空冷用冷却装置を備え、前記油化器が、前記気化ガスを前記空冷用冷却装置からの前記冷気と熱交換させて冷却する空冷式熱交換器であることを特徴とする。すなわち、この油化システムでは、油化器が、気化ガスを空冷用冷却装置からの冷気と熱交換させて冷却する空冷式熱交換器であるので、水冷式熱交換器など液体を冷媒とする場合に比べてメンテナンス性が向上すると共に電気的ショート等を低減させることができる。また、冷気を冷媒としているので、従来の単に常温の空気と熱交換させる場合に比べて高い冷却効果を得ることができる。
【００１３】
さらに、本発明の油化システムは、前記空冷用冷却装置からの前記冷気を前記溶解炉及び前記気化炉の駆動機構における発熱部に送る駆動部用冷却配管を備えていることを特徴とする。すなわち、この油化システムでは、駆動部用冷却配管によって冷気を溶解炉及び気化炉の駆動機構における発熱部（例えば、ベアリング部等）に送るので、駆動機構を冷却することができ、装置の寿命を向上させることができる。特に、本発明では、カンタル合金材による電熱ヒータ部を採用し、従来よりも高温で加熱を行っているため、気化炉の駆動機構に対する熱負荷も大きくなることから、冷気による高い冷却効果の空冷が有効である。
【００１４】
また、本発明の油化システムは、前記油化器の下部に接続され発生した液状の油を回収するオイルタンクと、前記オイルタンクの上部に接続され内部の空気を吸引するタンク用ブロアと、を備えていることを特徴とする。すなわち、この油化システムでは、オイルタンク内部の空気を吸引するタンク用ブロアを備えているので、オイルタンク内が減圧されて油化部で油化されたオイルを吸引し易くすると共に、オイルタンクと接続されている油化部も減圧されて油化部内への気化ガスの吸引も促進することができる。
【発明の効果】
【００１５】
本発明によれば、以下の効果を奏する。
すなわち、本発明の油化システムによれば、気化炉加熱機構がカンタル合金材で形成された電熱ヒータ部であるので、従来のニクロムヒータに比べて高温使用が可能であり、高い耐久性を有している。したがって、長期にわたって高温のヒータ加熱が可能であり、合成樹脂の効率的な加熱が可能であると共に、交換頻度の低減による部品コストの低減とを図ることができる。
【発明を実施するための最良の形態】
【００１６】
以下、本発明における油化システムの一実施形態を、図１に基づいて説明する。なお、以下の説明に用いる図面では、各部材を認識可能な大きさとするために縮尺を適宜変更している。
【００１７】
本実施形態における油化システムは、廃棄プラスチック等の合成樹脂（プラスチック）を油化させる電気式の油化装置又は油化プラントであって、材料の合成樹脂を加熱して溶解させる溶解炉１と、該溶解炉１の上部から溶解炉１内に合成樹脂を投入する材料供給部２と、溶解炉１で溶解された合成樹脂を加熱して気化ガスを発生させる気化炉３と、該気化炉３で発生した気化ガスを液化可能なガスへ変質させる触媒材４に接触させる２つの触媒炉５と、気化ガスを冷却して液状の油（ナフサ）を生成する２つのコンデンサ（油化器）６と、空気を冷却してコンデンサ６用の冷媒として冷気を発生させる空冷用冷却装置７と、各コンデンサ６の下部に接続され発生した液状の油を回収するオイルタンク８と、を備えている。
【００１８】
材料となる上記合成樹脂は、例えば１〜２ｃｍほどに粉砕されたポリプロピレン、ポリエチレン、ポリスチレン等のプラスチック材料である。
上記材料供給部２は、材料の合成樹脂を貯留するホッパー部９と、該ホッパー部９の下部と溶解炉１の上部とを接続する投入管１０と、合成樹脂を所定量に小分けして所定時間間隔で投入する投入制御機構１１と、溶解炉１の下部から溶解炉１内のオフガスを吸引するオフガス用ブロア１２と、を備えている。
【００１９】
上記投入制御機構１１は、ホッパー部９の下部と投入管１０との間に水平軸中心に回転可能に支持され互いに直交して半径方向外方に延在した４枚の羽根部を有する回転羽根状弁１３と、該回転羽根状弁１３を回転駆動する羽根状弁用モータ１４と、を備えている。この羽根状弁用モータ１４は、エンコーダ式回転制御モータであって、４枚の羽根部により各９０度分割で投入領域が４等分されている回転羽根状弁１３を回転させ、材料の合成樹脂を一定量に分割してバッチ式で投入管１０を介して溶解炉１に送り込むものである。
【００２０】
上記溶解炉１は、丸鋼管本体１５と、該丸鋼管本体１５内に回転可能にベアリング部１６で傾斜軸支され合成樹脂の材料を攪拌しながら搬送する溶解炉リードスクリュー１７と、該溶解炉リードスクリュー１７に接続されこれを回転駆動する溶解炉用モータ１８と、丸鋼管本体１５内の合成樹脂を加熱して溶解する溶解炉電熱ヒータ部１９と、を備えている。
【００２１】
上記溶解炉電熱ヒータ部１９は、丸鋼管本体１５の外周に設置されたセラミックス製のヒータホルダー中に組み込んだカンタル合金材で形成された複数の電熱ヒータである。これら溶解炉電熱ヒータ部１９は、丸鋼管本体１５の延在方向に複数に分割されて設置されている。これら溶解炉電熱ヒータ部１９によって丸鋼管本体１５内の合成樹脂はペースト状になるまで加熱される。例えば、溶解炉１内は、溶解炉電熱ヒータ部１９により２００℃〜３５０℃に加熱される。なお、複数に分割された溶解炉電熱ヒータ部１９は、炉内の合成樹脂の搬送方向に応じて、すなわち炉内の合成樹脂の溶解状態に応じて段階的に温度が高く設定されている。
【００２２】
上記気化炉３は、筒状炉体２０と、該筒状炉体２０内に回転可能にベアリング部１６で水平軸支され合成樹脂を攪拌しながら搬送する気化炉リードスクリュー２１と、該気化炉リードスクリュー２１に接続されこれを回転駆動する気化炉用モータ２２と、該筒状炉体２０内のペースト状の合成樹脂を加熱して液状化すると共にさらに気化させる気化炉電熱ヒータ部（気化炉加熱機構）２３と、を備えている。
【００２３】
上記筒状炉体２０は、溶解炉１でペースト状に溶解された合成樹脂が投入される炉体前段部２０Ａと、該炉体前段部２０Ａの後段に設けられ加熱によりペースト状から液状に加熱された合成樹脂からの気化を促進する気化促進部２０Ｂと、を備えている。
上記気化促進部２０Ｂは、断面Ｕ字状のＵ字筒構造とされ、液面が広く設定されて気化面積を多く取ることによって気化効率を上げる構造が採用されている。
【００２４】
上記気化炉電熱ヒータ部２３は、溶解炉電熱ヒータ部１９と同様に、筒状炉体２０の外周に設置されたセラミックス製のヒータホルダー中に組み込んだカンタル合金材で形成された複数の電熱ヒータである。これら気化炉電熱ヒータ部２３は、筒状炉体２０の延在方向に複数に分割されて設置されている。これら気化炉電熱ヒータ部２３によって筒状炉体２０内の合成樹脂が液状化され気化される温度まで加熱される。
【００２５】
例えば、気化炉電熱ヒータ部２３のカンタル合金材によるヒータ線は、７００℃〜８００℃程度まで加熱され、気化炉３内は、気化炉電熱ヒータ部２３により４５０℃程度に加熱される。なお、複数に分割された気化炉電熱ヒータ部２３は、炉内の合成樹脂の搬送方向に応じて、すなわち炉内の合成樹脂の液化状態に応じて段階的に温度が高く設定されている。
【００２６】
気化炉電熱ヒータ部２３を起動してから合成樹脂が気化するまでの温度に到達する時間を短くすることで、効率アップを図ることができる。したがって、気化炉電熱ヒータ部２３では、気化炉３内の温度検出を行い、気化温度に達するまでは高いヒータ温度に設定されるが、炉内が気化温度に到達したらヒータ温度の制御設定温度を下げて炉内温度がオーバーシュートしないように制御されている。
【００２７】
なお、溶解炉電熱ヒータ部１９及び気化炉電熱ヒータ部２３は、電気絶縁カバーがないとカンタル合金材のヒータ線と丸鋼管本体１５又は筒状炉体２０とが接触して漏電するおそれがあるため、４８Ｖ以下の電圧が加えられるように設定されている。また、カンタル合金材のヒータ線は、空気中で加熱すると電気絶縁性の保護酸化被膜が形成され、寿命が向上する。
【００２８】
上記カンタル合金材としては、ＡＰＭ線、Ａｌ線、ＡＦ線、Ｄ線又はＬＴ線等が採用可能である。
上記溶解炉用モータ１８及び気化炉用モータ２２は、溶解された合成樹脂の粘度に応じて２倍から３倍の負荷が加わるため、これに耐えるトルク制御用ベクトルドライバーを有したインバータ制御ギアードモータである。
【００２９】
上記触媒炉５は、触媒材４への負荷を低減するために気化促進部２０Ｂの上部に２つに分けて接続されており、鋼管内に触媒材４が収納されて気化炉３から導入された気化ガスが触媒材４間を流通可能になっている。触媒材４としては、例えば人工ゼオライトや活性アルミ等が採用されている。
【００３０】
また、触媒炉５は、触媒材４を加熱する触媒炉電熱ヒータ部（触媒加熱機構）２４を備えている。この触媒炉電熱ヒータ部２４は、触媒炉５の鋼管外周に設置されたセラミックス製のヒータホルダー中に組み込んだカンタル合金材で形成された電熱ヒータである。この触媒炉電熱ヒータ部２４により、高い触媒作用が得られる所定の温度まで触媒材４が加熱される。
【００３１】
上記コンデンサ６は、触媒炉５に接続され、触媒炉５を介して送られた気化ガスを空冷用冷却装置７からの冷気と熱交換させて冷却する空冷式熱交換器である。
上記空冷用冷却装置７には、各コンデンサ６への冷気を送るコンデンサ用冷気配管２５が接続されている。また、各コンデンサ６には、気化ガスとの熱交換された冷気を溶解炉１及び気化炉３の駆動機構におけるベアリング部１６等の発熱部に送る駆動部用冷却配管２６が接続されている。
【００３２】
また、駆動部用冷却配管２６は、途中で分岐され溶解炉１の投入管１０近傍外周を覆う冷却ジャケット２７に接続されている。この冷却ジャケット２７は、溶解炉１の投入管１０近傍を上記冷気で冷却して、溶解炉１に投入される合成樹脂が投入管１０付近で溶解して付着し、合成樹脂材料のスムーズな流通を妨げることを防ぐ機能を有している。
【００３３】
上記オイルタンク８は、各コンデンサ６とオイル配管２８で接続され、オイル配管２８を介してコンデンサ６で冷却され液状化された油を回収可能とされている。
また、オイルタンク８の上部には、タンク内部の空気を吸引するタンク用ブロア２９が接続されている。このタンク用ブロア２９は、インバータ制御されて最適な吸引速度に制御されている。
【００３４】
上記オフガス用ブロア１２及びタンク用ブロア２９には、水を貯留した水封槽３１がオフガス配管３０を介して接続されている。なお、オフガス配管３０の先端は、水封槽３１内の水中に配されている。また、この水封槽３１の上部には、回収したオフガスを燃焼させるオフガス燃焼器３２が接続されている。すなわち、溶解炉１及びオイルタンク８からのオフガスは、水封槽３１で一旦水中を通した後にオフガス燃焼器３２で燃焼される。
【００３５】
なお、溶解炉１及び気化炉３には、非常消火の際にＣＯ２配管３３ａで炉内にＣＯ２を送り込む非常消火用ＣＯ２ボンベ３３が接続されている。
【００３６】
上述したように、本実施形態の油化システムは、気化炉加熱機構がフェライト系抵抗合金であるカンタル合金材で形成された気化炉電熱ヒータ部２３であるので、６００℃程度が限界の従来のニクロムヒータに比べて１４００℃程度までの高温使用が可能であり、高い耐久性を有している。すなわち、本実施形態の油化システムでは、カンタル合金ヒータの気化炉電熱ヒータ部２３によって７００℃程度の高温で連続運転を行ってもヒータの劣化がなく、加熱温度を安定して保持できることから、炉内温度をガス化に適した４５０℃程度に長期にわたって維持することができる。また、従来よりも大幅に高い温度での加熱により、急速にガス化温度まで炉内温度を上昇させることができ、立ち上げ時間を大幅に短縮することもできる。このように、従来のニクロムヒータでは実際上、ガス化及び油化が不完全であったのに対し、高寿命で高温加熱が可能なカンタル合金ヒータの気化炉電熱ヒータ部２３を採用することにより、高効率で長期にわたって安定したガス化及び油化を行うことができる。
【００３７】
また、材料供給部２が、合成樹脂を所定量に小分けして所定時間間隔で投入する投入制御機構１１を備えているので、いわゆるバッチ式で合成樹脂材料の投入量を調整でき、合成樹脂材料が一気に溶解炉１へ流れ落ちて処理能力を超えてしまうことを防ぐことができる。
【００３８】
さらに、投入制御機構１１が、回転羽根状弁１３と羽根状弁用モータ１４との簡易な構成であり、一定量の材料を分けて投入できると共に、回転羽根状弁１３の回転速度を調整することで、投入量を容易に調整することができる。
また、溶解炉１の下部から溶解炉１内のガスを吸引するオフガス用ブロア１２を備えているので、合成樹脂を下方に吸引して溶解炉１内への導入を促進することができる。特に、軽い合成樹脂材料を投入する際には、有効である。
【００３９】
また、触媒炉５が、触媒材４を加熱する触媒炉電熱ヒータ部２４を備えているので、高い触媒作用が得られる温度にまで触媒を加熱することで、高い触媒効果を得ることができる。
また、コンデンサ６が、気化ガスを空冷用冷却装置７からの冷気と熱交換させて冷却する空冷式熱交換器であるので、水冷式熱交換器など液体を冷媒とする場合に比べてメンテナンス性が向上すると共に電気的ショート等を低減させることができる。さらに、冷気を冷媒としているので、従来の単に常温の空気と熱交換させる空冷の場合に比べて高い冷却効果を得ることができる。
【００４０】
また、駆動部用冷却配管２６によって冷気を溶解炉１及び気化炉３の駆動機構における発熱部に送るので、駆動機構を冷却することができ、装置の寿命を向上させることができる。特に、カンタル合金材による気化炉電熱ヒータ部２３を採用し、従来よりも高温で加熱を行っているため、気化炉３の駆動機構に対する熱負荷も大きくなることから、冷気による高い冷却効果の空冷が有効である。
【００４１】
また、オイルタンク８内部の空気を吸引するタンク用ブロア２９を備えているので、オイルタンク８内が減圧されて各コンデンサ６で油化されたオイルを吸引し易くすると共に、オイルタンク８と接続されている各コンデンサ６も減圧されてコンデンサ６内への気化ガスの吸引も促進することができる。
【００４２】
なお、本発明は上記実施形態に限定されるものではなく、本発明の趣旨を逸脱しない範囲において種々の変更を加えることが可能である。
【００４３】
例えば、上記実施形態では、２つの触媒炉及び２つのコンデンサを備えているが、１つ又は３つ以上の触媒炉及びコンデンサを備えても構わない。
また、溶解炉電熱ヒータ部１９及び気化炉電熱ヒータ部２３は、合成樹脂の搬送方向に沿って複数分割されて溶解炉１及び気化炉３に設けられるが、分割数や設置範囲は、気化炉３及び溶解炉１のサイズ等に応じて設定される。
【図面の簡単な説明】
【００４４】
【図１】本発明に係る油化システムの一実施形態を示す全体の概略構成図である。
【符号の説明】
【００４５】
１…溶解炉、２…材料供給部、３…気化炉、４…触媒材、５…触媒炉、６…コンデンサ（油化器）、７…空冷用冷却装置、８…オイルタンク、９…ホッパー部、１０…投入管、１１…投入制御機構、１２…オフガス用ブロア、１３…回転羽根状弁、１４…羽根状弁用モータ、１９…溶解炉電熱ヒータ部、２３…気化炉電熱ヒータ部（気化炉加熱機構）、２４…触媒炉電熱ヒータ部（触媒加熱機構）２６…駆動部用冷却配管、２９…タンク用ブロア
【図１】
2009144049.tif 000003